【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ファンフォールド材料を折り畳んで積み重ねるためのシステムであって、
回転可能部材と、
前記回転可能部材に配置された少なくとも２つのヘッドピースであって、前記少なくとも２つのヘッドピースは、前記回転可能部材に互いに円周方向にオフセットされ、各ヘッドピースは、前記ファンフォールド材料の長さの一部分と係合し、前記ファンフォールド材料を前記回転可能部材の周りで回転させて前記ファンフォールド材料の移動の方向を変化させるように構成された第１の真空設定を有し、前記第１の真空設定は、前記ファンフォールド材料が前記回転可能部材の周りで少なくとも１つの所定位置に回転するまで機能し、前記ファンフォールド材料は、折り畳まれたファンフォールド材料のスタックを形成する、２つのヘッドピースと、
を備えるシステム。
【請求項２】
前記回転可能部材に隣接すると共に前記コンベヤに対向して配置されたホッパーをさらに備え、前記ホッパーは、前記回転可能部材によって搬送される折り畳まれたファンフォールド材料を受け取るように構成され、前記ホッパーは、新たな層が前記スタックに追加されたときに折り畳まれたファンフォールド材料の前記スタックを下げることによって、折り畳まれたファンフォールド材料の前記スタックの最上層の概括的な高さを自動的に維持する、請求項１に記載のシステム。
【請求項３】
前記回転可能部材が、円周方向にオフセットされた少なくとも４つのヘッドピースを含み、前記少なくとも４つのヘッドピースが互いに実質的に等距離にある、請求項１に記載のシステム。
【請求項４】
各ヘッドピースは、各ヘッドピースを第１の真空設定から第２の送風機設定に切り替えるように構成された空気圧制御システムに連結され、前記空気圧制御システムは、真空源と、圧縮空気源と、前記回転可能部材が軸の周りを回転するときに前記ヘッドピースのそれぞれを前記真空源および前記圧縮空気源に連結するように構成されたバルブとを含む、請求項１に記載のシステム。
【請求項５】
前記空気圧制御システムは、前記第１の真空設定および前記第２の送風機設定の時間を決めるように構成された電子制御システムまたは速度センサのうちの少なくとも１つをさらに備える、請求項４に記載のシステム。
【請求項６】
前記システムは、前記ファンフォールド材料の１つ又は複数の折り目の位置を検出するための少なくとも１つのセンサ機構を含み、前記ヘッドピースにおける前記第１の真空設定から前記第２の送風機設定への切り替えは、前記ファンフォールド材料の前記１つ又は複数の折り目の位置に関連付けられる、請求項４に記載のシステム。
【請求項７】
前記回転可能部材は、異なる折り畳み長さを有するファンフォールド材料を収容するように拡張可能である、請求項１に記載のシステム。
【請求項８】
各ヘッドピースは、折り畳まれたファンフォールド材料の前記スタックを形成するように、前記ファンフォールド材料の長さの一部を所定の位置で前記回転可能部材から吹き飛ばすように構成された第２の送風機設定を有する、請求項１に記載のシステム。
【請求項９】
ファンフォールド材料を折り畳んで積み重ねるための方法であって、
i）ファンフォールド材料の長さの第１端部を、回転可能部材に配置されて互いに円周方向にオフセットされた少なくとも２つのヘッドピースを有する回転可能部材に、搬送するステップと、
ii）ファンフォールド材料を回転部材に搬送し続けると同時に前記回転可能部材を回転させるステップと、
iii）前記ファンフォールド材料の前記長さの一部を真空によって第１のヘッドピースに係合し、前記ファンフォールド材料の前記長さの前記一部を前記回転可能部材の周りで回転させ、それにより前記ファンフォールド材料の移動方向を変更するステップと、
iv）折り畳まれたファンフォールド材料のスタックを形成するステップと、
を含む方法。
【請求項１０】
第１のヘッドピースが、（i）前記回転可能部材の軸の周りの移動経路の第１部分の間に前記ファンフォールド材料との真空係合を生成し、（ii）前記軸の周りの前記移動経路の第２部分の間に前記ファンフォールド材料を前記回転可能部材から吹き飛ばすように、前記第１のヘッドピースが前記軸の周りを移動するときに、前記第１のヘッドピースを、第１の真空設定、第２の送風機設定、及び第３のオフ設定を通じて循環させるステップと、
第２のヘッドピースが、（i）前記軸の周りの前記移動経路の第１部分の間に前記ファンフォールド材料との真空係合を生成し、（ii）前記軸の周りの前記移動経路の第２部分の間に前記ファンフォールド材料を前記回転可能部材から吹き飛ばすように、前記第２のヘッドピースを、第１の真空設定、第２の送風機設定、及び第３のオフ設定を通じて循環させるステップと、
をさらに含む、請求項９に記載の方法。
【請求項１１】
前記第１のヘッドピースにおける前記移動経路の前記第１部分は、前記第２のヘッド部分における前記移動経路の前記第１部分から少なくとも部分的にオフセットされ、前記第１のヘッドピースにおける前記移動経路の前記第２部分は、前記第２のヘッドピースにおける前記移動経路の前記第２部分から少なくとも部分的にオフセットされる、請求項１０に記載の方法。
【請求項１２】
前記第１のヘッドピースを、前記第１の真空設定、前記第２の送風機設定、及び前記第３のオフ設定を通じて循環させるステップは、前記第１の真空設定を第１の時間枠の間機能させるステップと、前記第２の送風機設定を第２の時間枠の間機能させるステップと、第３のオフ設定を第３の時間枠の間機能させるステップとを含む、請求項１０に記載の方法。
【請求項１３】
前記第２のヘッドピースを、前記第１の真空設定、前記第２の送風機設定、及び前記第３のオフ設定を通じて循環させるステップは、前記第１の真空設定を第１の時間枠の間機能させるステップと、前記第２の送風機設定を第２の時間枠の間機能させるステップと、前記第３のオフ設定を第３の時間枠の間機能させるステップとを含む、請求項１２に記載の方法。
【請求項１４】
前記第１のヘッドピースの前記第１の時間枠と前記第２のヘッドピースの前記第１の時間枠とは、異なる時間長さを有する、
前記第１のヘッドピースの前記第２の時間枠と前記第２のヘッドピースの前記第２の時間枠とは、異なる時間長さを有する、
及び前記第１のヘッドピースの前記第３の時間枠と前記第２のヘッドピースの前記第３の時間枠とは、異なる時間長さを有する、
のうち少なくとも１つを満たす、請求項１３に記載の方法。
【請求項１５】
前記第２のヘッドピースにおける前記第１の時間枠、前記第２の時間枠、及び前記第３の時間枠は、互いに重複しない、請求項１３に記載の方法。
【請求項１６】
ファンフォールド材料を折り畳んで積み重ねるための装置であって、
軸の周りで回転可能な回転可能部材と、
前記回転可能部材に配置された少なくとも２つのヘッドピースであって、前記少なくとも２つのヘッドピースのそれぞれが、前記回転可能部材が前記軸の周りで回転するときに、前記軸の周りで移動経路を通って移動し、前記少なくとも２つのヘッドピースは、前記回転可能部材の周りで互いに円周方向にオフセットされた、少なくとも２つのヘッドピースと、を備え、
各ヘッドピースは、
前記移動経路の第１部分の間に機能する第１の真空設定であって、前記第１の真空設定は、前記軸の周りを回転させるように、印付けされた又は折り目付けされたファンフォールド材料の前記長さの一部に係合するように構成された、第１の真空設定と、
前記移動経路の第２部分の間に機能する第２の送風機設定であって、前記第２の送風機設定は、折り曲げられたファンフォールド材料のスタックを形成するように、印付けされた又は折り目付けされたファンフォールド材料の前記長さの前記一部を前記回転可能部材から吹き飛ばすように構成された、第２の送風機設定と、
前記移動経路の第3部分の間に機能する第３のオフ設定と、を含む装置。
【請求項１７】
前記第１の真空設定および前記第２の送風機設定は、前記第３のオフ設定の間停止される、請求項１６に記載の装置。
【請求項１８】
前記少なくとも２つのヘッドピースは、第１のヘッドピースおよび第２のヘッドピースを含む、請求項１６に記載の装置。
【請求項１９】
前記第１のヘッドピースにおける前記移動経路の前記第１部分の長さは、前記第２のヘッド部分における前記移動経路の前記第１部分の長さと異なる、
前記第１のヘッドピースにおける前記移動経路の前記第２部分の長さは、前記第２のヘッドピースにおける前記移動経路の前記第２部分の長さと異なる、
及び前記第１のヘッドピースにおける前記移動経路の前記第３部分の長さは、前記第２のヘッドピースにおける前記移動経路の前記第３部分の長さと異なる、
のうち少なくとも１つを満たす、請求項１８に記載の装置。
【請求項２０】
各ヘッドピースは、前記第１の真空設定、前記第２の送風機設定、及び前記第３のオフ設定を循環する、請求項１６に記載の装置。
【手続補正２】
【補正対象書類名】明細書
【補正対象項目名】００１５
【補正方法】変更
【補正の内容】
【００１５】
[実施形態１]
ファンフォールド材料を折り畳んで積み重ねるためのシステムであって、
回転可能部材と、
前記回転可能部材に配置された少なくとも２つのヘッドピースであって、前記少なくとも２つのヘッドピースは、前記回転可能部材で互いに円周方向にオフセットされ、各ヘッドピースは、前記ファンフォールド材料の長さの一部と係合して前記ファンフォールド材料を前記回転可能部材の周りで回転させて前記ファンフォールド材料の移動方向を変化させるように構成された第１の真空設定を有し、前記第１の真空設定は、前記ファンフォールド材料が前記回転可能部材の周りで少なくとも１つの所定位置に回転するまで作動し、前記ファンフォールド材料は、折り畳まれたファンフォールド材料のスタックを形成する、２つのヘッドピースと、
を備えるシステム。
[実施形態２]
前記回転可能部材に隣接して配置されたコンベヤであって、印付けされた又は折り目付けされたファンフォールド材料の前記長さを前記回転可能部材に搬送するコンベヤをさらに備える、実施形態１に記載のシステム。
[実施形態３]
前記回転可能部材に隣接すると共に前記コンベヤに対向して配置されたホッパーをさらに備え、前記ホッパーは、前記回転可能部材によって搬送される折り畳まれたファンフォールド材料を受け取るように構成される、実施形態２に記載のシステム。
[実施形態４]
前記ホッパーが、折り畳まれたファンフォールド材料の前記スタックの最上層の概括的な高さを自動的に維持する、実施形態３に記載のシステム。
[実施形態５]
前記ホッパーは、新たな層が前記スタックに追加されたときに折り畳まれたファンフォールド材料の前記スタックを下げることによって、折り畳まれたファンフォールド材料の前記スタックの最上層の概括的な高さを自動的に維持する、実施形態４に記載のシステム。
[実施形態６]
前記回転可能部材が、少なくとも４つの円周方向にオフセットされたヘッドピースを含む、実施形態１に記載のシステム。
[実施形態７]
前記ヘッドピースが互いに実質的に等距離にある、実施形態６に記載のシステム。
[実施形態８]
前記ファンフォールド材料が段ボール材料である、実施形態１に記載のシステム。
[実施形態９]
各ヘッドピースは、各ヘッドピースを第１の真空設定から第２の送風機設定に切り替えるように構成された空気圧制御システムに連結される、実施形態１に記載のシステム。
[実施形態１０]
前記空気圧制御システムは、真空源と、圧縮空気源と、前記回転可能部材が軸の周りを回転するときに前記ヘッドピースのそれぞれを前記真空源および前記圧縮空気源に連結するように構成されたホイールバルブとを含む、実施形態９に記載のシステム。
[実施形態１１]
前記空気圧制御システムは、前記第１の真空設定および前記第２の送風機設定の時間を決めるように構成された電子制御システムまたは速度センサのうちの少なくとも１つをさらに備える、実施形態１０に記載のシステム。
[実施形態１２]
前記システムは、前記ファンフォールド材料の１つ又は複数の折り目の位置を検出するための少なくとも１つのセンサ機構を含む、実施形態１０に記載のシステム。
[実施形態１３]
前記ヘッドピースにおける前記第１の真空設定から前記第２の送風機設定への切り替えは、前記ファンフォールド材料の前記１つ又は複数の折り目の位置に関連付けられる、実施形態１２に記載のシステム。
[実施形態１４]
前記回転可能部材は、異なる折り畳み長さを有するファンフォールド材料を収容するように拡張可能である、実施形態１に記載のシステム。
[実施形態１５]
前記回転可能部材は、軸の周りを回転可能である、実施形態１に記載のシステム。
[実施形態１６]
前記ファンフォールド材料は、当該ファンフォールド材料の長さに沿って間隔をおいて印付けされ又は折り目付けされる、実施形態１に記載のシステム。
[実施形態１７]
前記回転可能部材の周りで前記ファンフォールド材料を回転させることにより、前記ファンフォールド材料に印または折り目が形成される、実施形態１６に記載のシステム。
[実施形態１８]
各ヘッドピースは、折り畳まれたファンフォールド材料の前記スタックを形成するように、前記ファンフォールド材料の長さの一部を所定の位置で前記回転可能部材から吹き飛ばすように構成された第２の送風機設定を有する、実施形態１に記載のシステム。
[実施形態１９]
前記回転可能部材は、正多角形形状を有する、実施形態１に記載のシステム。
[実施形態２０]
前記回転可能部材は、少なくとも３つの角を有する、実施形態１９に記載のシステム。
[実施形態２１]
前記少なくとも２つのヘッドピースの前記第１の送風機設定は、前記ファンフォールド材料が積み重ねられるにつれて前記ファンフォールド材料に左折り及び右折りが交互に作られるように、前記ファンフォールド材料が第１および第２の所定位置に回転するまで交互に作動し続ける、実施形態１に記載のシステム。
[実施形態２２]
前記回転可能部材の高さが、折り畳まれたファンフォールド材料の前記スタックの最上層の概括的な高さを維持するように自動的に調整される、実施形態１に記載のシステム。
[実施形態２３]
ファンフォールド材料を折り畳んで積み重ねるためのシステムであって、
第１端部および第２端部を有するコンベヤであって、前記コンベヤは、ファンフォールド材料の長さの第１端部を第１方向において前記コンベヤの前記第１端部から前記コンベヤの前記第２端部へと搬送するように構成された、コンベヤと、
前記コンベヤの前記第２端部に隣接して配置された回転可能部材であって、当該回転可能部材が前記コンベヤの前記第２端部から前記ファンフォールド材料を受け取ることができるように回転可能である、回転可能部材と、
前記回転可能部材に配置された少なくともの２つのヘッドピースであって、前記少なくとも２つのヘッドピースは、前記回転可能部材の周りに互いに円周方向にオフセットされ、各ヘッドピースは、前記ファンフォールド材料の長さの一部をピックアップし、前記回転可能部材の回転と協働して、前記ファンフォールド材料を前記回転可能部材の周りで回転させて前記ファンフォールド材料の移動方向を第１方向から第２方向へと変化させるように構成された第１の真空設定を有し、前記第１の真空設定は、前記ファンフォールド材料が前記回転可能部材の周りで少なくとも１つの所定位置に回転するまで作動し、前記ファンフォールド材料は、折り畳まれたファンフォールド材料のスタックを形成する、２つのヘッドピースと、
前記回転可能部材によって搬送される折り畳まれたファンフォールド材料を受け取るように、前記回転可能部材に隣接すると共に前記コンベヤの前記第２端部に対向して配置される、ホッパーと、
を備えるシステム。
[実施形態２４]
前記少なくとも２つのヘッドピースが、少なくとも４つの円周方向にオフセットされたヘッドピースを含む、実施形態２３に記載のシステム。
[実施形態２５]
前記ファンフォールド材料が段ボール材料である、実施形態２３に記載のシステム。
[実施形態２６]
前記ファンフォールド材料は、前記ファンフォールド材料の長辺に実質的に垂直に前記ファンフォールド材料に配置された多数の実質的に等しく間隔をあけたスコアラインまたは折り目を含む、実施形態２３に記載のシステム。
[実施形態２７]
前記回転可能部材の周りの前記ファンフォールド材料の回転により、前記ファンフォールド材料に前記スコアラインまたは折り目が形成される、実施形態２６に記載のシステム。
[実施形態２８]
前記少なくとも２つのヘッドピースは、第１のヘッドピースに隣接する前記回転可能部材に前記ファンフォールド材料の第１のスコアライン又は折り目を配置すると共に第２のヘッドピースに隣接する前記回転可能部材に前記ファンフォールド材料の第２のスコアライン又は折り目を配置することができるように、円周方向に互いにオフセットしている、実施形態２６に記載のシステム。
[実施形態２９]
前記システムは、前記ファンフォールド材料の前記スコアラインまたは折り目を検出するための少なくとも１つのセンサ機構を含む、実施形態２６に記載のシステム。
[実施形態３０]
各ヘッドピースは、折り畳まれたファンフォールド材料の前記スタックを形成するように、前記ファンフォールド材料の長さの一部を前記回転可能部材から吹き飛ばすように構成された第２の送風機設定を有する、実施形態２３に記載のシステム。
[実施形態３１]
前記ファンフォールド材料が前記回転可能部材の周りで第１および第２の所定の位置に回転すると、前記少なくとも２つのヘッドピースの前記第２の送風機設定が交互に作動される、実施形態３０に記載のシステム。
[実施形態３２]
前記ヘッドピースの前記第１の真空設定から前記第２の送風機設定への切り替えは、前記ファンフォールド材料のスコアラインまたは折り目を検出するセンサ機構によって少なくとも部分的に制御される、実施形態３０に記載のシステム。
[実施形態３３]
各ヘッドピースは、各ヘッドピースを前記第１の真空設定から前記第２の送風機設定に切り替えるように構成された空気圧制御システムに連結される、実施形態３０に記載のシステム。
[実施形態３４]
前記空気圧制御システムは、真空源と、圧縮空気源と、前記回転可能部材が回転するときに前記ヘッドピースのそれぞれを前記真空源および前記前記圧縮空気源に連結するように構成されたホイールバルブに連結される、実施形態３３に記載のシステム。
[実施形態３５]
前記空気圧制御システムは、前記第１の真空設定および前記第２の送風機設定の時間を決めるように構成された電子制御システムまたは速度センサのうちの少なくとも１つをさらに備える、実施形態３４に記載のシステム。
[実施形態３６]
前記回転可能部材は、少なくとも３つの角を有する正多角形形状を有する、実施形態２３に記載のシステム。
[実施形態３７]
前記少なくとも２つのヘッドピースの前記第１の送風機設定は、前記ファンフォールド材料が積み重ねられるにつれて前記ファンフォールド材料に左折り及び右折りが交互に作られるように、前記ファンフォールド材料が前記回転可能部材の周りの第１および第２の所定の位置に回転するまで交互に作動し続ける、実施形態２３に記載のシステム。
[実施形態３８]
前記回転可能部材の高さが、折り畳まれたファンフォールド材料の前記スタックの最上層の高さを維持するように自動的に調整される、実施形態２３に記載のシステム。
[実施形態３９]
前記ホッパーは、折り畳まれたファンフォールド材料の前記スタックの最上層の高さを自動的に維持する、実施形態２３に記載のシステム。
[実施形態４０]
前記ホッパーは、新たな層が前記スタックに追加されたときに折り畳まれたファンフォールド材料の前記スタックを下げることによって、折り畳まれたファンフォールド材料の前記スタックの最上層の高さを自動的に維持する、実施形態３９に記載のシステム。
[実施形態４１]
前記回転可能部材は、軸の周りに回転可能である、実施形態２３に記載のシステム。
[実施形態４２]
ファンフォールド材料を折り畳んで積み重ねるための方法であって、
i）ファンフォールド材料の長さの第１端部を、回転可能部材に配置されて互いに円周方向にオフセットされた少なくとも２つのヘッドピースを有する回転可能部材に、搬送するステップと、
ii）ファンフォールド材料を回転部材に搬送し続けると同時に前記回転可能部材を回転させるステップと、
iii）前記ファンフォールド材料の前記長さの一部を真空によって第１のヘッドピースに係合し、前記ファンフォールド材料の前記長さの前記一部を前記回転可能部材の周りで回転させ、それにより前記ファンフォールド材料の移動方向を変更するステップと、
iv）折り畳まれたファンフォールド材料のスタックを形成するステップと、
を含む方法。
[実施形態４３]
前記ファンフォールド材料は、前記ファンフォールド材料の長辺に実質的に垂直に前記ファンフォールド材料に配置された多数の実質的に等しく間隔をあけたスコアラインまたは折り線を含む、実施形態４２に記載の方法。
[実施形態４４]
前記ファンフォールド材料を前記回転可能部材の周りで回転させることにより、前記ファンフォールド材料に前記スコアラインまたは折り線を形成するステップをさらに含む、実施形態４３に記載の方法。
[実施形態４５]
前記ファンフォールド材料の前記長さにおける１つ又は複数の前記スコアラインまたは折り線の位置を検出するステップと、
前記ファンフォールド材料の前記長さにおける前記スコアラインまたは折り線の位置ごとに、ステップ（i）■（iii）の１つ又は複数の相対的なタイミングを更新するステップと、
を含む実施形態４３に記載の方法。
[実施形態４６]
第１のヘッドピースが、第１のスコアラインまたは折り線に隣接した前記ファンフォールド材料と係合し、第２のヘッドピースが、第２のスコアラインまたは折り線に隣接した前記ファンフォールド材料と係合する、実施形態４３に記載の方法。
[実施形態４７]
前記回転可能部材は、各ヘッドピースが、前記回転可能部材が回転するときにスコアラインまたは折り線に隣接して配置され得るように、前記回転可能部材に円周方向に配置された４つのヘッドピースを含む、実施形態４３に記載の方法。
[実施形態４８]
前記回転可能部材に隣接して配置されたコンベヤを使用して、ファンフォールド材料の前記長さの第１端部を搬送するステップをさらに含む、実施形態４２に記載の方法。
[実施形態４９]
折り畳まれたファンフォールド材料の前記スタックは、左折り及び右折りを含む、実施形態４２に記載の方法。
[実施形態５０]
折り畳まれたファンフォールド材料の前記スタックを形成するように、前記ファンフォールド材料の前記長さの前記一部を前記回転可能部材から吹き飛ばすように、第１のヘッドピースを所定位置で送風機設定に切り替えるステップをさらに含む、実施形態４９に記載の方法。
[実施形態５１]
前記第１のヘッドピースの前記送風機設定への切替えは、左折りを形成する場合は第１の所定位置で、右折りを形成する場合は第２の所定位置で生じる、実施形態５０に記載の方法。
[実施形態５２]
折り畳まれたファンフォールド材料の前記スタックを、前記回転可能部材に隣接して配置されたホッパーに積み重ねるステップをさらに含む、実施形態４２に記載の方法。
[実施形態５３]
前記ホッパーの高さを自動的に調節して、折り畳まれたファンフォールド材料の前記スタックの最上層の高さを維持するステップをさらに含む、実施形態５２に記載の方法。
[実施形態５４]
ファンフォールド材料を折り畳んで積み重ねるための装置であって、
軸の周りで回転可能な回転可能部材と、
前記回転可能部材に配置された少なくとも２つのヘッドピースであって、前記少なくとも２つのヘッドピースのそれぞれが、前記回転可能部材が前記軸の周りで回転するときに、前記軸の周りで移動経路を通って移動し、前記少なくとも２つのヘッドピースは、前記回転可能部材の周りで互いに円周方向にオフセットされた、少なくとも２つのヘッドピースと、を備え、
各ヘッドピースは、
前記移動経路の第１部分の間に作動される第１の真空設定であって、前記第１の真空設定は、前記軸の周りを回転させるように、印付けされた又は折り目付けされたファンフォールド材料の前記長さの一部に係合するように構成された、第１の真空設定と、
前記移動経路の第２部分の間に作動される第２の送風機設定であって、前記第２の送風機設定は、折り曲げられたファンフォールド材料のスタックを形成するように、印付けされた又は折り目付けされたファンフォールド材料の前記長さの前記一部を前記回転可能部材から吹き飛ばすように構成された、第２の送風機設定と、
前記移動経路の第３部分の間に作動される第３のオフ設定と、を含む装置。
[実施形態５５]
前記第１の真空設定および前記第２の送風機設定は、前記第３のオフ設定の間停止される、実施形態５４に記載の装置。
[実施形態５６]
前記少なくとも２つのヘッドピースは、第１のヘッドピースおよび第２のヘッドピースを含む、実施形態５４に記載の装置。
[実施形態５７]
前記第１のヘッドピースにおける前記移動経路の前記第１部分の長さは、前記第２のヘッドピースにおける前記移動経路の前記第１部分の長さと異なる、実施形態５６に記載の装置。
[実施形態５８]
前記第１のヘッドピースにおける前記移動経路の前記第２部分の長さは、前記第２のヘッドピースにおける前記移動経路の前記第２部分の長さと異なる、実施形態５６に記載の装置。
[実施形態５９]
前記第１のヘッドピースにおける前記移動経路の前記第３部分の長さは、前記第２のヘッドピースにおける前記移動経路の前記第３部分の長さと異なる、実施形態５６に記載の装置。
[実施形態６０]
各ヘッドピースは、前記第１の真空設定、前記第２の送風機設定、及び前記第３のオフ設定を循環する、実施形態５４に記載の装置。
[実施形態６１]
ファンフォールド材料を折り畳んで積み重ねるための方法であって、
回転可能部材を軸の周りに回転させるステップであって、前記回転可能部材は、当該回転可能部材に配置されて当該回転可能部材の周りで互いに円周方向にオフセットされた第１のヘッドピース及び第２のヘッドピースを有する、ステップと、
ファンフォールド材料を前記回転可能部材に搬送するステップと、
前記第１のヘッドピースが、（i）前記軸の周りの移動経路の第１部分の間に前記ファンフォールド材料との真空係合を生成し、（ii）前記軸の周りの前記移動経路の第２部分の間に前記ファンフォールド材料を前記回転可能部材から吹き飛ばすように、前記第１のヘッドピースが前記軸の周りを移動するときに、前記第１のヘッドピースを、第１の真空設定、第２の送風機設定、及び第３のオフ設定を通じて循環させるステップと、
前記第２のヘッドピースが、（i）前記軸の周りの前記移動経路の第１部分の間に前記ファンフォールド材料との真空係合を生成し、（ii）前記軸の周りの前記移動経路の第２部分の間に前記ファンフォールド材料を前記回転可能部材から吹き飛ばすように、前記第２のヘッドピースを、第１の真空設定、第２の送風機設定、及び第３のオフ設定を通じて循環させるステップと、
を含む方法。
[実施形態６２]
前記第１のヘッドピースにおける前記移動経路の前記第１部分は、前記第２のヘッドピースにおける前記移動経路の前記第１部分から少なくとも部分的にオフセットされる、実施形態６１に記載の方法。
[実施形態６３]
前記第１のヘッドピースにおける前記移動経路の前記第２部分は、前記第２のヘッドピースにおける前記移動経路の前記第２部分から少なくとも部分的にオフセットされる、実施形態６１に記載の方法。
[実施形態６４]
前記第１のヘッドピースを、前記第１の真空設定、前記第２の送風機設定、及び前記第３のオフ設定を通じて循環させるステップは、前記第１の真空設定を第１の時間枠の間作動させるステップと、前記第２の送風機設定を第２の時間枠の間作動させるステップと、第３のオフ設定を第３の時間枠の間作動させるステップとを含む、実施形態６１に記載の方法。
[実施形態６５]
前記第１の時間枠、前記第２の時間枠、および前記第３の時間枠は、互いに重複しない、実施形態６４に記載の方法。
[実施形態６６]
前記第２のヘッドピースを、前記第１の真空設定、前記第２の送風機設定、及び前記第３のオフ設定を通じて循環させるステップは、前記第１の真空設定を第１の時間枠の間作動させるステップと、前記第２の送風機設定を第２の時間枠の間作動させるステップと、前記第３のオフ設定を第３の時間枠の間作動させるステップとを含む、実施形態６４に記載の方法。
[実施形態６７]
前記第１のヘッドピースの前記第１の時間枠と前記第２のヘッドピースの前記第１の時間枠とは、異なる時間長さを有する、実施形態６６に記載の方法。
[実施形態６８]
前記第１のヘッドピースの前記第２の時間枠と前記第２のヘッドピースの前記第２の時間枠とは、異なる時間長さを有する、実施形態６６に記載の方法。
[実施形態６９]
前記第１のヘッドピースの前記第３の時間枠と前記第２のヘッドピースの前記第３の時間枠とは、異なる時間長さを有する、実施形態６６に記載の方法。
[実施形態７０]
前記第２のヘッドピースにおける前記第１の時間枠、前記第２の時間枠、及び前記第３の時間枠は、互いに重複しない、実施形態６６に記載の方法。
[0015] 本開示のこれら及び他の目的および特徴は、以下の説明および添付の特許請求の範囲からより完全に明らかになる、または以下に示される本発明の実施形態の実施によって理解され得る。